(57)【特許請求の範囲】
【請求項１】
パチンコ機械で使用された使用済玉を流入樋に集め、その流入樋に集められた使用済玉を、揚送部の搬送ベルトの下部に設けられた導入樋に傾斜を利用して導き、その導かれた使用済玉をその搬送ベルトを介して揚送した後、再び上記パチンコ機械に供給するようにした揚送装置において、
前記流入樋の終端に第１の段差を設けるとともに、前記流入樋の終端及び第１の段差の上方を覆うように設けられたカバーに、前記流入樋の終端の使用済玉移動方向前方において、前記流入樋を流下する使用済玉の上面に載って前記流入樋の終端から前方に移動するカードを通過させる開口部を設けたことを特徴とする揚送装置。
【請求項２】
パチンコ機械で使用された使用済玉を流入樋に集め、その流入樋に集められた使用済玉を、揚送部の搬送ベルトの下部に設けられた導入樋に傾斜を利用して導き、その導かれた使用済玉をその搬送ベルトを介して揚送した後、再び上記パチンコ機械に供給するようにした揚送装置において、
前記流入樋と前記導入樋とを接続する接続樋の終端に第２の段差を設けるとともに、前記接続樋の終端から使用済玉移動方向前方に離間した位置に、前記接続樋を流下する使用済玉の上面に載って前記接続樋の終端から前方に移動するカードを受け止める受皿を設けたことを特徴とする揚送装置。
【請求項３】
パチンコ機械で使用された使用済玉を流入樋に集め、その流入樋に集められた使用済玉を、揚送部の搬送ベルトの下部に設けられた導入樋に傾斜を利用して導き、その導かれた使用済玉をその搬送ベルトを介して揚送した後、再び上記パチンコ機械に供給するようにした揚送装置において、
前記流入樋の終端に第１の段差を設けるとともに、前記流入樋の終端及び第１の段差の上方を覆うように設けられたカバーに、前記流入樋の終端の使用済玉移動方向前方に、前記流入樋を流下する使用済玉の上面に載って前記流入樋の終端から前方に移動するカードを通過させる開口部を設け、
前記流入樋と前記導入樋とを接続する接続樋の終端に第２の段差を設けるとともに、前記接続樋の終端から使用済玉移動方向前方に離間した位置に、前記接続樋を流下する使用済玉の上面に載って前記接続樋の終端から前方に移動するカードを受け止める受皿を設けたことを特徴とする揚送装置。
【発明の詳細な説明】
【０００１】
【発明の属する技術分野】
本発明は、パチンコ玉の揚送装置に係り、特に、その揚送装置の下部において、プリペイドカード等の異物を除去する異物除去手段を備えたものに関する。
【０００２】
【従来の技術】
従来、この種の揚送装置は、垂直状に伸びるフレームの下部に設けられたモータ内蔵の駆動プーリと、そのフレームの上部に設けられた上部プーリとの間に無端ベルトからなる搬送ベルトを張設し、その搬送ベルトの上昇動する搬送側に玉磨き用布を対設して構成された揚送部と、その揚送部に使用済玉を供給する導入樋とから構成されている（例えば、特開平１０−５４３４号公報等）。そして、その導入樋は、パチンコ機械で使用された使用済玉を回収し、傾斜を利用して導入樋に移動させる流入樋が設けられている。
【０００３】
流入樋の底面には、使用済玉の流下方向に沿って使用済玉が落下しない大きさに形成されたスリットが設けられているとともに、使用済玉が１個流下（転動）できる間隔に形成されたパチンコ玉の高さ（パチンコ玉の直径）より大きな高さを有する仕切壁が設けられている。したがって、使用済玉より小さい異物はスリットから落下して除去され、また、使用済玉より大きな異物は仕切壁によって移動が阻止される（例えば、実用新案登録第３００１３４０号公報）。
【０００４】
【発明が解決しようとする課題】
しかしながら、上記従来の揚送装置における異物除去手段は、流入樋に仕切壁を設けているので、使用済玉の流下が阻害されるおそれがあった。
【０００５】
そこで、本発明は、上記欠点を解決するためになされたものであって、その目的は、使用済玉の流下を阻害することなく、異物を効果的に除去することのできる揚送装置を提供することにある。
【０００６】
【課題を解決するための手段】
本発明に係る揚送装置は、上記目的を達成するために、パチンコ機械で使用された使用済玉を流入樋に集め、その流入樋に集められた使用済玉を、傾斜を利用して搬送ベルトの下部に設けられた誘導樋に導き、その導かれた使用済玉をその搬送ベルトを介して揚送した後、再び上記パチンコ機械に供給するようにした揚送装置において、流入樋の終端に第１の段差を設けるとともに、流入樋の終端及び第１の段差の上方を覆うように設けられたカバーに、流入樋の終端の使用済玉移動方向前方において、流入樋を流下する使用済玉の上面に載って流入樋の終端から前方に移動するカードを通過させる開口部を設けたことを特徴としている。
本発明の別の形態においては、前記流入樋と前記導入樋とを接続する接続樋の終端に第２の段差を設けるとともに、前記接続樋の終端から使用済玉移動方向前方に離間した位置に、前記接続樋を流下する使用済玉の上面に載って前記接続樋の終端から前方に移動するカードを受け止める受皿を設けたことを特徴としている。
さらに、本発明の好ましい例では、前記流入樋の終端に第１の段差を設けるとともに、前記流入樋の終端及び第１の段差の上方を覆うように設けられたカバーに、前記流入樋の終端の使用済玉移動方向前方において、前記流入樋を流下する使用済玉の上面に載って前記流入樋の終端から前方に移動するカードを通過させる開口部を設け、前記流入樋と前記導入樋とを接続する接続樋の終端に第２の段差を設けるとともに、前記接続樋の終端から使用済玉移動方向前方に離間した位置に、前記接続樋を流下する使用済玉の上面に載って前記接続樋の終端から前方に移動するカードを受け止める受皿を設けたことを特徴としている。
【０００７】
【発明の実施の形態】
以下、本発明の実施の形態を図面に基づいて説明する。図１は、一実施の形態に係る揚送装置ａの正面図である。
【０００８】
揚送装置ａは、垂直状に伸びた揚送部１を有し、その下部には、導入樋２が設けられている。そして、この導入樋２の左右両側には、パチンコ機械（図示せず）で使用された使用済玉を受止める流入樋３ａ，３ｂが接続樋４ａ，４ｂを介してそれぞれ設けられているとともに、その受止めた使用済玉を傾斜を利用して導入樋２にそれぞれ流出させることができるように構成されている（図１の矢印丸１参照）。
【０００９】
揚送部１は、周知の玉磨き揚送装置に設けられている揚送部と同様に、図示しないが、揚送部１の下部に設けられたモータ内蔵の駆動プーリとその上部に設けられた上部プーリとの間に無端ベルトからなる搬送ベルトが張設されているとともに、その搬送ベルトの上昇動する搬送ベルト側に玉磨き布を対設して構成されている。
【００１０】
上記構成の揚送部１の下部に使用済玉が供給されると、すなわち、導入樋２を介して搬送ベルトの下部に使用済玉が供給されると、使用済玉は、搬送ベルトと玉磨き布との間を摺動させられる間に磨かれ、その磨かれたパチンコ玉は、揚送部１の上部から図示しない遊技島に設けられた各パチンコ機械に供給される（図１の矢印丸２，丸２参照）。
【００１１】
図２は、図１のイ−イ線拡大断面図であって、導入樋２と流入樋３ａ，３ｂとの接合部分の詳細図である。この導入樋２に対する各流入樋３ａ，３ｂは、左右対称形であるので、以下、左側の流入樋３ａを中心に説明する。なお、左側の流入樋３ａ側の構成要素に対する右側の構成要素は、「ｂ」の添字を付した符号で示されている。
【００１２】
流入樋３ａの終端と接続樋４ａの始端との間には第１の段差５ａが設けられ、接続樋４ａの終端と導入樋２との間には第２の段差６ａが設けられている。
【００１３】
図２中、７ａは流入樋３ａの終端及び第１の段差５ａの上方を覆うように設けられたカバーであって、流入樋３ａに設けられたサポート３ａ′に取付ねじ３ａ″により着脱自在に取り付けられている。そして、このカバー７ａには、図２にＡ部として拡大して示されるように、流入樋３ａの終端の使用済玉Ｐ，Ｐ…の移動方向前方に、流入樋３ａの終端から、すなわち第１の段差５ａの上端部位から落下しようとする使用済玉Ｐ，Ｐ…の頂点とほぼ同じ高さにおいて、開口部８ａが設けられている。この開口部８ａは、水平状態で移動するプリペイドカード（以下、「カード」という。）Ｃが通過できる大きさに形成されている。
【００１４】
したがって、例えば、図２に示されるように、流入樋３ａを流下してくる使用済玉Ｐ，Ｐ…の上面に異物としてのカードＣが載って移動してくると、そのカードＣは、カバー７ａの開口部８ａからカバー７ａの外に放出されるので、使用済玉Ｐ，Ｐ…からカードＣが除去される。
【００１５】
接続樋４ａの使用済玉Ｐ，Ｐ…の流下する底面は、図２のＢ部に拡大して示されるように、使用済玉Ｐ，Ｐ…の流下する方向に沿って、使用済玉Ｐ，Ｐ…の大きさ（直径）より小さい幅のスリット（溝）４ａ′，４ａ′…が設けられている。
【００１６】
したがって、使用済玉Ｐ，Ｐ…より小さい異物は、接続樋４ａを流下する途中で、スリット４ａ′，４ａ′…から排出される。なお、このようなスリット４ａ′，４ａ′は流入樋３ａや導入樋２ａの底面にも設けられている。
【００１７】
図２中、９は受皿であって、両接続樋４ａ，４ｂ間に掛け渡されたサポート４′に取り付けられ、両接続樋４ａ，４ｂの終端から使用済玉Ｐ，Ｐ…の移動方向前方に離間した位置に設けられている。この受皿９の上面は、接続樋４ａの終端から、すなわち第２の段差６ａの上端部位から落下しようとする使用済玉Ｐ，Ｐ…の頂点とほぼ同じ高さに存在し、この受皿９の上面の大きさは、カードＣの券面よりもやや大きい。
【００１８】
したがって、例えば、図２に示されるように、接続樋４ａを流下してくる使用済玉Ｐ，Ｐ…の上面に異物としてのカードＣが載って移動してくると、そのカードＣは、受皿９の上面に放出され、使用済玉Ｐ，Ｐ…からカードＣが除去される。なお、右側の接続樋４ｂを移動してくるカードＣ（図示せず）もこの受皿９に受止められる。
【００１９】
使用済玉Ｐ，Ｐ…中に含まれるカードＣは、上述の２カ所の段差（５ａ，６ａ）を利用してほぼ完全に除去されるが、仮に、図２に示されるカードＣ′のように、導入樋２まで運び込まれた場合は、導入樋２に設けられた仕切壁によって揚送部１への持込みが阻止される。
【００２０】
図３及び図４を用いてさらに説明すると、図３は、図２のロ−ロ線断面の詳細図、また、図４は、図３の矢印ハ方向から見た平面図である。
【００２１】
搬送ベルトＢは、モータ内蔵の駆動プーリ１０に掛け渡されて図３の矢印に示されるように、時計方向に駆動されている。そして、その搬送ベルトＢの搬送面に使用済玉Ｐ，Ｐ…が整列して供給されるように、仕切壁１１，１１…が使用済玉Ｐの大きさ（直径）よりわずかに大きな間隔をもって配設されている。この仕切壁１１，１１…の間隔は、図４に示されるように、カードＣ′の平面形状より小さいので、導入樋２内のカードＣ′は、仕切壁１１，１１…で保持されるため、搬送ベルトＢ面にカードＣ′が供給されることはない。
【００２２】
なお、仕切壁１１，１１…上にカードＣが保持されると、搬送ベルトＢ面への使用済玉の供給が絶たれるが、この場合は、揚送部１に設けられた図示しないパチンコ玉検出センサで玉なしが検出され、この検出信号により異常状態が報知されるので、仕切壁１１，１１…上のカードＣは、係員により除去される。
【００２３】
【発明の効果】
請求項１の発明によれば、流入樋の終端に段差を設けるとともに、流入樋の終端及び第１の段差の上方を覆うように設けられたカバーに、流入樋の終端の使用済玉移動方向前方において、流入樋を流下する使用済玉の上面に載って流入樋の終端から前方に移動するカードを通過させる開口部を設けたので、使用済玉に含まれる異物としてのカードを効果的に除去することができる。また、流入樋に異物除去用の仕切壁を有していないので、使用済玉の流出を阻害することがない。
請求項２の発明によれば、流入樋と導入樋とを接続する接続樋の終端に第２の段差を設けるとともに、接続樋の終端から使用済玉移動方向前方に離間した位置に、接続樋を流下する使用済玉の上面に載ってその接続樋の終端から前方に移動するカードを受け止める受皿を設けたので、使用済玉に含まれる異物としてのカードを効果的に除去することができる。また、流入樋に異物除去用の仕切壁を有していないので、使用済玉の流出を阻害することがない。
請求項３の発明によれば、流入樋の終端に第１の段差を設けるとともに、流入樋の終端及び第１の段差の上方を覆うように設けられたカバーに、流入樋の終端の使用済玉移動方向前方において流入樋を流下する使用済玉の上面に載って流入樋の終端から前方に移動するカードを通過させる開口部を設け、また、流入樋と導入樋とを接続する接続樋の終端に第２の段差を設けるとともに、接続樋の終端から使用済玉移動方向前方に離間した位置に、接続樋を流下する使用済玉の上面に載って接続樋の終端から前方に移動するカードを受け止める受皿を設けたので、使用済玉に含まれる異物としてのカードを二つの段差において除去するため、より効果的に除去することができる。また、流入樋に異物除去用の仕切壁を有していないので、使用済玉の流出を阻害することがない。
【図面の簡単な説明】
【図１】  本発明の一実施の形態に係る揚送装置の正面図である。
【図２】  図１のイ−イ線拡大断面図である。
【図３】  図２のロ−ロ線拡大断面図である。
【図４】  図３を矢印ハ方向から見た平面図である。
【符号の説明】
ａ  揚送装置
１  揚送部
２  導入樋
３ａ，３ｂ  流入樋
４ａ，４ｂ  接続樋
４ａ′  スリット
５ａ  第１の段差
６ａ，６ｂ  第２の段差
７ａ  カバー
８ａ  開口部
９  受皿
Ｃ，Ｃ′  プリペイドカード（カード）
Ｐ  使用済玉
【図１】
0004005271.tif 000002
【図２】
0004005271.tif 000003
【図３】
0004005271.tif 000004
【図４】
0004005271.tif 000005